(57)【要約】【課題】狭い場所や障害物のある場所などにおいて、把持部材を回動させることができる角度が６０度より小さくても３０度より大きければ、このような場所に設けられたネジ穴にセットスクリューやキャップスクリューなどのネジをねじ込んだり、ねじ込まれたネジを緩めるような場合に支障がないオフセット型ドライバー提供する。【解決手段】細長の把持部材２の一端部２ａの下方にツール部材１の六角頭１ａを突設したものとすると共に、このツール部材１の六角頭１ａと相対的に３０度捻ったツール部材１の六角頭１ｃを、前記把持部材２の一端部２ａの上方に突設したものとしている。【選択図】図３
0003145078.tif 000002
【実用新案登録請求の範囲】
【請求項１】
細長の把持部材（２）の一端部（２ａ）の下方にツール部材（１）の六角頭（１ａ）を突設したものとすると共に、このツール部材（１）の六角頭（１ａ）と相対的に３０度捻ったツール部材（１）の六角頭（１ｃ）を、前記把持部材（２）の一端部（２ａ）の上方に突設したことを特徴とするオフセット型ドライバー。
【請求項２】
細長の把持部材（２）の一端部（２ａ）の下方にツール部材（１）の六角頭（１ａ）を突設したものとすると共に、このツール部材（１）の六角頭（１ａ）と相対的に３０度捻ったツール部材（１）の六角頭（１ｃ）を、前記把持部材（２）の他端部（２ａ）の下方に突設したことを特徴とするオフセット型ドライバー。
【請求項３】
細長の把持部材（２）の一端部（２ａ）の下方にツール部材（１）の六角頭（１ａ）を突設したものとする共に、このツール部材（１）の六角頭（１ａ）と相対的に３０度捻ったツール部材（１）の六角頭（１ｃ）を、前記把持部材（２）の一端部（２ａ）の上方に突設したものとし、さらに前記把持部材（２）の一端部（２ａ）の下方に突設されたツール部材（１）の六角頭（１ａ）と相対的に３０度捻ったツール部材（１）の六角頭（１ｃ）を、前記把持部材（２）の他端部（２ａ）の下方に突設したものとすると共に、前記把持部材（２）の一端部（２ａ）の上方に突設したツール部材（１）の六角頭（１ｃ）と相対的に３０度捻ったツール部材（１）の六角頭（１ａ）を、前記把持部材（２）の他端部（２ａ）の上方に突設したことを特徴とするオフセット型ドライバー。
【請求項４】
前記把持部材（２）の両端部（２ａ）を、水平方向において互いに反対方向に２５〜３５度の角度（α）の範囲内で屈曲させたことを特徴とする請求項１〜３の何れかに記載のオフセット型ドライバー。
【考案の詳細な説明】
【技術分野】
【０００１】
この考案は、狭い場所や障害物のある場所などにおいて、セットスクリューやキャップスクリューなどのネジをねじ込んだり、緩めたりするのに適したオフセット型ドライバーに関するものである。
【背景技術】
【０００２】
従来、この種のオフセット型ドライバーは、例えば図１１〜１３に示したように、ツール部材１１、把持部材１２およびホルダー部材１３とからなるものとしている。
【０００３】
そして、前記ツール部材１１は、１〜３ｃｍ程度の短寸のビット等としており、先端部１１ａを、図示したものは六角頭としているが、プラス頭、マイナス頭、六角穴など、ドライバーによる作業に適したものとすることができるとしている。
【０００４】
前記把持部材１２は、細長の金属板等からなり、その一端部には、前記ツール部材１１の保持部１１ｂが回動不能に嵌まり込むようにした嵌合孔１２ａが貫通形成されているものとしている。
【０００５】
前記ホルダー部材１３は、硬鋼線などの弾線からなるＣリングとしており、ツール部材１１の保持部１１ｂに凹設した係止溝１４ａ、１４ｂにそれぞれ嵌まり込む内径を有するものとしている。（特許文献１）
このような従来のオフセット型ドライバーを用いて、例えば図６に示したような凹所Ｄなどの狭い場所に設けられたネジ穴ＨにセットスクリューＳをねじ込んだり、ねじ込まれたセットスクリューＳを緩めるような場合には、セットスクリューＳの六角穴ｈにオフセット型ドライバーのツール部材１１の六角頭とした先端部１１ａを嵌め込んで、把持部材１２をねじ込み方向または緩め方向に回動させればよい。
【特許文献１】実用新案登録第３１３８５５７号公報（図１〜図３）
【考案の開示】
【考案が解決しようとする課題】
【０００６】
ところで、従来のオフセット型ドライバーでは、前記狭い場所において把持部材１２を回動させることができる角度が６０度より大きければ、このような狭い場所に設けられたネジ穴ＨにセットスクリューＳをねじ込んだり、ねじ込まれたセットスクリューＳを緩めるような場合には支障がない。すなわち、前記把持板２を６０度回動させた後に、セットスクリューＳの六角穴ｈからオフセット型ドライバーのツール部材１１の先端部１１ａを外し、把持部材１２を回動させる前の位置に戻して、再びセットスクリューＳの六角穴ｈにそのツール部材１１の先端部１１ａを嵌め込んで６０度回動させるという操作を繰り返せば、セットスクリューＳを最後までねじ込んだり、緩めたりすることができる。
【０００７】
しかしながら、従来のオフセット型ドライバーでは、前記狭い場所において把持部材１２を回動させることができる角度が６０度より小さいと、このような狭い場所に設けられたネジ穴ＨにセットスクリューＳをねじ込んだり、ねじ込まれたセットスクリューＳを緩めるような場合には支障が生じる。すなわち、前記把持部材１２を６０度より大きく回動させることができないと、セットスクリューＳの六角穴ｈからオフセット型ドライバーのツール部材１１の先端部１１ａを外し、把持部材１２を回動させる前の位置に戻しても、再びセットスクリューＳの六角穴ｈにそのツール部材１１の先端部１１ａを嵌め込むことができず、セットスクリューＳをねじ込んだり、ねじ込まれたセットスクリューＳを緩めることができなくなる。
【０００８】
そこで、この考案は、上記従来の課題を解決するものであり、狭い場所や障害物のある場所などにおいて、把持部材を回動させることができる角度が６０度より小さくても３０度より大きければ、このような場所に設けられたネジ穴にセットスクリューやキャップスクリューなどのネジをねじ込んだり、ねじ込まれたネジを緩めるような場合に支障がないオフセット型ドライバー提供することを目的としてなされたものである。
【課題を解決するための手段】
【０００９】
そのため、この考案のオフセット型ドライバーは、細長の把持部材２の一端部２ａの下方にツール部材１の六角頭１ａを突設したものとすると共に、このツール部材１の六角頭１ａと相対的に３０度捻ったツール部材１の六角頭１ｃを、前記把持部材２の一端部２ａの上方に突設したものとしている。
【００１０】
さらに、この考案のオフセット型ドライバーは、細長の把持部材２の一端部２ａの下方にツール部材１の六角頭１ａを突設したものとすると共に、このツール部材１の六角頭１ａと相対的に３０度捻ったツール部材１の六角頭１ｃを、前記把持部材２の他端部２ａの下方に突設したものとしている。
【００１１】
また、この考案のオフセット型ドライバーは、細長の把持部材２の一端部２ａの下方にツール部材１の六角頭１ａを突設したものとする共に、このツール部材１の六角頭１ａと相対的に３０度捻ったツール部材１の六角頭１ｃを、前記把持部材２の一端部２ａの上方に突設したものとし、さらに前記把持部材２の一端部２ａの下方に突設されたツール部材１の六角頭１ａと相対的に３０度捻ったツール部材１の六角頭１ｃを、前記把持部材２の他端部２ａの下方に突設したものとすると共に、前記把持部材２の一端部２ａの上方に突設したツール部材１の六角頭１ｃと相対的に３０度捻ったツール部材１の六角頭１ａを、前記把持部材２の他端部２ａの上方に突設したものとしている。
【００１２】
さらに、この考案のオフセット型ドライバーは、前記把持部材２の両端部２ａを、水平方向において互いに反対方向に２５〜３５度の角度αの範囲内で屈曲させたものとしている。
【考案の効果】
【００１３】
この考案のオフセット型ドライバーは、以上に述べたように構成されているので、狭い場所や障害物のある場所などにおいて、把持部材を回動させることができる角度が６０度より小さくても３０度より大きければ、このような場所に設けられたネジ穴にセットスクリューやキャップスクリューなどのネジをねじ込んだり、ねじ込まれたネジを緩めるような場合に支障がないものとなる。
【考案を実施するための最良の形態】
【００１４】
以下、この考案のオフセット型ドライバーを実施するための最良の形態を、図面に基づいて詳細に説明する。
【００１５】
この考案のオフセット型ドライバーは、図示したように、ツール部材１、把持部材２およびホルダー部材３からなるものとしている。
【００１６】
前記ツール部材１は、１〜３ｃｍ程度の短寸のビット等としており、一端部を六角頭１ａとし、中間部を保持部１ｂとし、他端部を六角頭１ｃとしている。そして、一端部の六角頭１ａは、他端部の六角頭１ｃと相対的に３０度捻ったものとしている。さらに、保持部１ｂは、六角柱状としており、後に述べる把持部材２の厚さｔと略同一の間隔をあけてリング状の係止溝４、４を凹設したものとしている。
【００１７】
前記把持部材２は、厚さｔの細長の金属板等からなり、両端部２ａには嵌合孔５が貫通形成されている。この嵌合孔５は、例えば六角孔として、前記ツール部材１の保持部１ｂが回動不能に嵌まり込むように形成されている。なお、前記把持部材２の厚さｔは、１〜３ｍｍ程度にすることができるが、ドライバーとして使用できる強度を有する厚みであればよい。また、前記把持部材２は、両端部２ａを水平方向において互いに反対方向に２５〜３５度の角度αの範囲内で屈曲させたものとしている。
【００１８】
前記ホルダー部材３は、ゴム弾性を有する合成樹脂等からなるＯリング、ステンレス鋼等の弾線からなるＣリングとしており、ツール部材１の保持部１ｂに凹設した係止溝４、４にそれぞれ嵌まり込むようにしている。なお、このホルダー部材３が前記係止溝４、４から外れ難くするために、前記係止溝４、４の上下には、必要に応じてフランジ６、６を設けたものとすることができる。
【００１９】
そして、この考案のオフセット型ドライバーは、前記ツール部材１、把持部材２およびホルダー部材３を、以下のようして組み立てたものとしている。
【００２０】
先ず、前記把持部材２の一端部２ａの嵌合孔５にツール部材１を挿入する。この挿入したツール部材１の六角頭１ａを把持部材２の下方に突出させると共に、このツール部材１の六角頭１ｃを把持部材２の上方に突出させ、このツール部材１の保持部１ｂの係止溝４、４の間に把持部材２を配置した状態にする。この状態で、前記係止溝４、４にそれぞれホルダー部材３を嵌め込むことにより、このツール部材１を把持部材２に回動不能に保持する。
【００２１】
すると、この考案のオフセット型ドライバーは、前記把持部材２の一端部２ａの下方にツール部材１の六角頭１ａが突設されたものとなると共に、このツール部材１の六角頭１ａと相対的に３０度捻ったツール部材１の六角頭１ｃが、前記把持部材２の一端部２ａの上方に突設されたものとなる。
【００２２】
次に、前記把持部材２の他端部２ａの嵌合孔５にツール部材１を挿入する。この挿入したツール部材１の六角頭１ｃを把持部材２の下方に突出させると共に、このツール部材１の六角頭１ａを把持部材２の上方に突出させ、このツール部材１の保持部１ｂの係止溝４、４の間に把持部材２を配置した状態にする。この場合、前記把持部材２の他端部２ａの下方に突出させたツール部材１の六角頭１ｃを、前記把持部材２の一端部２ａの下方に突出させたツール部材１の六角頭１ａと相対的に３０度捻った状態にすると共に、前記把持部材２の他端部２ａの上方に突出させたツール部材１の六角頭１ａを、前記把持部材２の一端部２ａの上方に突出させたツール部材１の六角頭１ｃと相対的に３０度捻った状態にする。この状態で、前記係止溝４、４にそれぞれホルダー部材３を嵌め込むことにより、このツール部材１を把持部材２に回動不能に保持する。
【００２３】
すると、この考案のオフセット型ドライバーは、図示したように、前記把持部材２の一端部２ａの下方にツール部材１の六角頭１ａが突設されたものとなる共に、このツール部材１の六角頭１ａと相対的に３０度捻ったツール部材１の六角頭１ｃが、前記把持部材２の一端部２ａの上方に突設されたものとなり、さらに前記把持部材２の一端部２ａの下方に突設されたツール部材１の六角頭１ａと相対的に３０度捻ったツール部材１の六角頭１ｃが、前記把持部材２の他端部２ａの下方に突設されたものとなると共に、前記把持部材２の一端部２ａの上方に突設されたツール部材１の六角頭１ｃと相対的に３０度捻ったツール部材１の六角頭１ａが、前記把持部材２の他端部２ａの上方に突設されたものとなる。このようしたオフセット型ドライバーは、ツール部材１の六角頭１ａ、１ｃが把持部材２の両端部２ａの上下に突設されたものとなるので、使用場所に適した任意の六角頭１ａ、１ｃを選択して使用することができるものとなり、非常に使い易いものとなる。
【００２４】
また、この考案のオフセット型ドライバーは、前記把持部材２の一端部２ａの下方にツール部材１の六角頭１ａが突設されたものとすると共に、このツール部材１の六角頭１ａと相対的に３０度捻ったツール部材１の六角頭１ｃが、前記把持部材２の他端部２ａの下方に突設されたものとすることができる。
【００２５】
以上のように構成されたこの考案のオフセット型ドライバーは、例えば図６に示したような凹所Ｄなどの狭い場所に設けられたネジ穴ＨにセットスクリューＳをねじ込んだり、ねじ込まれたセットスクリューＳを緩めるような場合には、次のようにして行う。
【００２６】
先ず、セットスクリューＳの六角穴ｈに、オフセット型ドライバーの把持部材２の一端部２ａの下方に突設されたツール部材１の六角頭１ａを嵌め込んで、把持部材２をねじ込み方向または緩め方向に回動させる。
【００２７】
この場合、前記狭い場所において把持部材２を回動させることができる角度βが、図７に示したように６０度より大きければ、このような狭い場所に設けられたネジ穴ＨにセットスクリューＳをねじ込んだり、ねじ込まれたセットスクリューＳを緩めるような場合には支障がない。すなわち、前記把持部材２を６０度回動させた後に、セットスクリューＳの六角穴ｈからオフセット型ドライバーのツール部材１の六角頭１ａを外し、把持部材２を回動させる前の位置に戻して、再びセットスクリューＳの六角穴ｈに、前記ツール部材１の六角頭１ａを嵌め込んで６０度回動させるという操作を繰り返せば、セットスクリューＳを最後までねじ込んだり、緩めたりすることができる。
【００２８】
さらに、前記狭い場所において把持部材２を回動させることができる角度βが、図８に示したように６０度より小さくても３０度より大きければ、このような狭い場所に設けられたネジ穴ＨにセットスクリューＳをねじ込んだり、ねじ込まれたセットスクリューＳを緩めるような場合にも支障がない。すなわち、前記把持部材２を３０度回動させた後に、セットスクリューＳの六角穴ｈからオフセット型ドライバーのツール部材１の六角頭１ａを外し、把持部材２を回動させる前の位置に戻して、再びセットスクリューＳの六角穴ｈに、前記把持部材２の一端部２ａの上方に突設されたツール部材１の六角頭１ｃを嵌め込むか、または前記把持部材２の他端部２ａの下方に突設されたツール部材１の六角頭１ｃを嵌め込んで、把持部材２をねじ込み方向または緩め方向に回動させることができるので、セットスクリューＳの六角穴ｈに、前記ツール部材１の六角頭１ａ、１ｃを交互に嵌め込んで３０度回動させるという操作を繰り返せば、セットスクリューＳを最後までねじ込んだり、緩めたりすることができる。
【００２９】
また、この考案のオフセット型ドライバーは、例えば図９示したような凹所Ｄなどの狭い場所であって、その凹所Ｄの入口に柱などの障害物Ｏが存在して、その入口がさらに狭くなっており、その障害物Ｏに隠れた位置に設けられたネジ穴ＨにセットスクリューＳをねじ込んだり、ねじ込まれたセットスクリューＳを緩めるような場合には、把持部材２の両端部２ａを水平方向において互いに反対方向に２５〜３５度の角度αの範囲内で屈曲させたものを用いれば、次のように支障なく行うことができる。
【００３０】
先ず、図３、４に示した状態のこの考案のオフセット型ドライバーを引っ繰り返し、障害物Ｏに隠れた位置に設けられたネジ穴Ｈの方向に屈曲した把持部材２の一端部２ａの下方になったツール部材１の六角頭１ｃを嵌め込んで、把持部材２をねじ込み方向または緩め方向に回動させる。
【００３１】
この場合、前記狭い場所において把持部材２を回動させることができる角度βが、図１０に示したように６０度より小さくても３０度より大きければ、先ず前記把持部材２を３０度回動させる。
【００３２】
次に、セットスクリューＳの六角穴ｈからオフセット型ドライバーのツール部材１の六角頭１ｃを外し、把持部材２を回動させる前の位置に戻して、再びセットスクリューＳの六角穴ｈに、その把持部材２の他端部２ａの下方になったツール部材１の六角頭１ａを嵌め込めば、把持部材２をねじ込み方向または緩め方向に回動させることができるので、セットスクリューＳの六角穴ｈに、前記ツール部材１の六角頭１ａ、１ｃを交互に嵌め込んで３０度回動させるという操作を繰り返せば、セットスクリューＳを最後までねじ込んだり、緩めたりすることができる。
【００３３】
なお、この考案のオフセット型ドライバーでも、把持部材２の両端部２ａを前記のように屈曲させていないものでは、その把持部材２を３０度回動させることができない場合があり、このような場所でセットスクリューＳをねじ込んだり、ねじ込まれたセットスクリューＳを緩めるようなことはできないことがある。
【００３４】
したがって、この考案のオフセット型ドライバーでは、把持部材２の両端部２ａを前記のように屈曲させたものは、狭い場所や障害物のある場所などにおいて、より優れた効果を発揮するものとなる。
【図面の簡単な説明】
【００３５】
【図１】この考案のオフセット型ドライバーの一実施形態を示す斜視図である。
【図２】図１に示すこの考案のオフセット型ドライバーの分解斜視図である。
【図３】図１に示すこの考案のオフセット型ドライバーの側面図である。
【図４】図１に示すこの考案のオフセット型ドライバーの平面図である。
【図５】図１に示すこの考案のオフセット型ドライバーの正面図である。
【図６】この考案のオフセット型ドライバーを使用する狭い場所の斜視図である。
【図７】この考案のオフセット型ドライバーの把持部材を６０度より大きく回動させることができる狭い場所での使用状態を示す説明図である。
【図８】この考案のオフセット型ドライバーの把持部材を６０度より小さく３０度より大きく回動させることができる狭い場所での使用状態を示す説明図である。
【図９】この考案のオフセット型ドライバーを使用する狭い場所であって、その狭い場所の入口に障害物が存在している場所の斜視図である。
【図１０】この考案のオフセット型ドライバーの図９に示した場所での使用状態を示す説明図である。
【図１１】従来のオフセット型ドライバーの一例を示す斜視図である。
【図１２】図１１に示す従来のオフセット型ドライバーの分解斜視図である。
【図１３】図１１に示す従来のオフセット型ドライバーの側面図である。
【符号の説明】
【００３６】
１  ツール部材
１ａ  六角頭
１ｃ  六角頭
２  把持部材
２ａ  端部
α  角度
【図１】
0003145078.tif 000003
【図２】
0003145078.tif 000004
【図３】
0003145078.tif 000005
【図４】
0003145078.tif 000006
【図５】
0003145078.tif 000007
【図６】
0003145078.tif 000008
【図７】
0003145078.tif 000009
【図８】
0003145078.tif 000010
【図９】
0003145078.tif 000011
【図１０】
0003145078.tif 000012
【図１１】
0003145078.tif 000013
【図１２】
0003145078.tif 000014
【図１３】
0003145078.tif 000015